(57)【特許請求の範囲】
【請求項１】
ネットワークに接続される情報端末であって、
ファイルコンテンツ、該ファイルコンテンツに対応するコンテンツ識別子、および自端末に対応する端末識別子が格納された記憶部と、
前記ファイルコンテンツの評価点が入力されると、該評価点を含む評価情報を前記記憶部に格納し、前記ファイルコンテンツを保持しているか否かを問い合わせる旨の検索信号を外部から受信すると、前記評価情報、前記コンテンツ識別子および前記端末識別子を含むコンテンツ保持情報を外部に送信し、また、自端末に保持していないファイルコンテンツの要求指示が入力されると、該ファイルコンテンツの前記検索信号を外部に送信し、該ファイルコンテンツの前記コンテンツ保持情報を外部から受信すると、該コンテンツ保持情報に含まれる評価情報にしたがって該ファイルコンテンツを取得するか否かを判定する制御部と、を有し、
前記記憶部に、前記ファイルコンテンツの評価に必要な評価情報の数である評価サンプル基準数、および該ファイルコンテンツを要求するか否かを判定するための評価基準点の情報が予め格納され、
前記制御部は、
外部より受信した前記コンテンツ保持情報の受信数が前記評価サンプル基準数以上であると、受信したコンテンツ保持情報のそれぞれに含まれる評価情報の評価点を加算し、算出結果が前記評価基準点よりも小さい場合、受信したコンテンツ保持情報の送信元に、取得判定の対象となるファイルコンテンツの削除を要求する旨の信号を送信する、情報端末。
【請求項２】
前記制御部は、
外部より前記コンテンツ保持情報を受信する際、該コンテンツ保持情報の受信数が前記評価サンプル基準数以上あるか否かを判定し、該受信数が該評価サンプル基準数以上である場合、受信したコンテンツ保持情報のそれぞれに含まれる評価情報の評価点を加算し、算出結果が前記評価基準点以上であるか否かを判定し、
前記受信数が前記評価サンプル基準数よりも少ない場合、または前記算出結果が前記評価基準点以上である場合、受信したコンテンツ保持情報の送信元に、取得判定の対象となるファイルコンテンツを要求する旨の信号を送信する、請求項１記載の情報端末。
【請求項３】
ネットワークに接続される情報端末によるコンテンツ評価方法であって、
ファイルコンテンツ、該ファイルコンテンツに対応するコンテンツ識別子、自端末に対応する端末識別子、該ファイルコンテンツの評価に必要な評価情報の数である評価サンプル基準数、および該ファイルコンテンツを要求するか否かを判定するための評価基準点の情報を記憶部に格納し、
前記ファイルコンテンツの評価点が入力されると、該評価点を含む評価情報を前記記憶部に格納し、
前記ファイルコンテンツを保持しているか否かを問い合わせる旨の検索信号を外部から受信すると、前記評価情報、前記コンテンツ識別子および前記端末識別子を含むコンテンツ保持情報を外部に送信し、
自端末に保持していないファイルコンテンツの要求指示が入力されると、該ファイルコンテンツの前記検索信号を外部に送信し、
自端末に保持していないファイルコンテンツの前記コンテンツ保持情報を外部から受信すると、該コンテンツ保持情報に含まれる評価情報にしたがって該ファイルコンテンツを取得するか否かを判定し、
外部より受信した前記コンテンツ保持情報の受信数が前記評価サンプル基準数以上であると、受信したコンテンツ保持情報のそれぞれに含まれる評価情報の評価点を加算し、算出結果が前記評価基準点よりも小さい場合、受信したコンテンツ保持情報の送信元に、取得判定の対象となるファイルコンテンツの削除を要求する旨の信号を送信する、コンテンツ評価方法。
【請求項４】
外部より前記コンテンツ保持情報を受信する際、該コンテンツ保持情報の受信数が前記評価サンプル基準数以上あるか否かを判定し、
前記受信数が該評価サンプル基準数以上である場合、受信したコンテンツ保持情報のそれぞれに含まれる評価情報の評価点を加算し、算出結果が前記評価基準点以上であるか否かを判定し、
前記受信数が前記評価サンプル基準数よりも少ない場合、または前記算出結果が前記評価基準点以上である場合、受信したコンテンツ保持情報の送信元に、取得判定の対象となるファイルコンテンツを要求する旨の信号を送信する、請求項３記載のコンテンツ評価方法。
【請求項５】
ネットワークに接続されるコンピュータに実行させるためのプログラムであって、
ファイルコンテンツ、該ファイルコンテンツに対応するコンテンツ識別子、自端末に対応する端末識別子、該ファイルコンテンツの評価に必要な評価情報の数である評価サンプル基準数、および該ファイルコンテンツを要求するか否かを判定するための評価基準点の情報を記憶部に格納するステップと、
前記ファイルコンテンツの評価点が入力されると、該評価点を含む評価情報を前記記憶部に格納するステップと、
前記ファイルコンテンツを保持しているか否かを問い合わせる旨の検索信号を外部から受信すると、前記評価情報、前記コンテンツ識別子および前記端末識別子を含むコンテンツ保持情報を外部に送信するステップと、
自端末に保持していないファイルコンテンツの要求指示が入力されると、該ファイルコンテンツの前記検索信号を外部に送信するステップと、
自端末に保持していないファイルコンテンツの前記コンテンツ保持情報を外部から受信すると、該コンテンツ保持情報に含まれる評価情報にしたがって該ファイルコンテンツを取得するか否かを判定するステップと、
外部より受信した前記コンテンツ保持情報の受信数が前記評価サンプル基準数以上であると、受信したコンテンツ保持情報のそれぞれに含まれる評価情報の評価点を加算し、算出結果が前記評価基準点よりも小さい場合、受信したコンテンツ保持情報の送信元に、取得判定の対象となるファイルコンテンツの削除を要求する旨の信号を送信するステップと、
を有する処理を前記コンピュータに実行させるためのプログラム。
【請求項６】
外部より前記コンテンツ保持情報を受信する際、該コンテンツ保持情報の受信数が前記評価サンプル基準数以上あるか否かを判定するステップと、
前記受信数が該評価サンプル基準数以上である場合、受信したコンテンツ保持情報のそれぞれに含まれる評価情報の評価点を加算し、算出結果が前記評価基準点以上であるか否かを判定するステップと、
前記受信数が前記評価サンプル基準数よりも少ない場合、または前記算出結果が前記評価基準点以上である場合、受信したコンテンツ保持情報の送信元に、取得判定の対象となるファイルコンテンツを要求する旨の信号を送信するステップとを、前記コンピュータに実行させるための請求項５記載のプログラム。
【発明の詳細な説明】
【技術分野】
【０００１】
本発明は、ファイルコンテンツをネットワークを介して送受信可能な情報端末、コンテンツ評価方法、およびその方法をコンピュータに実行させるためのプログラムに関する。
【背景技術】
【０００２】
従来、インターネットなどのネットワークに接続される複数の情報端末の間でファイルコンテンツをやり取り可能にしたＰ２Ｐ（Peer to Peer）というネットワーク利用形態が知られている（特許文献１参照）。ファイルコンテンツには、情報端末で動作させるためのゲームや音楽などがある。
【０００３】
特定のファイルコンテンツを保持する情報端末が、他の情報端末からファイルコンテンツを要求する旨の信号であるコンテンツ要求信号を受信すると、保持するファイルコンテンツの複製を要求元の情報端末に送信する。これにより、ファイルコンテンツを保持する情報端末が２台に増える。さらに、この２台の情報端末のそれぞれが、異なる情報端末よりコンテンツ要求信号を受信すると、ファイルコンテンツを複製してそれぞれの要求元に送る。これが繰り返されると、ネットワークに接続された多くの情報端末が複製された同一のファイルコンテンツを保持することが可能となる。
【特許文献１】特開２００５−１３５１４０号公報
【発明の開示】
【発明が解決しようとする課題】
【０００４】
上述したＰ２Ｐ型のネットワークには、次のような問題がある。ファイルコンテンツの複製とその複製の送受信が監視されているわけではないので、流通するファイルコンテンツが違法またはそれに近い行為によるものが多い。また、ファイルコンテンツがコンピュータウィルスやワームなどを含む悪質なものであると、Ｐ２Ｐ型のネットワークの性質上、多くの情報端末が被害を受けることになる。さらに、秘匿すべきファイルコンテンツを誤ってネットワークに一度流通させてしまうと、ファイルコンテンツが容易に複製されてしまうため、このファイルコンテンツをネットワークから全て削除するのは困難である。
【０００５】
本発明は上述したような従来の技術が有する問題点を解決するためになされたものであり、悪質なファイルコンテンツのネットワーク内での流通を防止した情報端末、コンテンツ評価方法、およびプログラムを提供することを目的とする。
【課題を解決するための手段】
【０００６】
上記目的を達成するための本発明の情報端末は、ネットワークに接続される情報端末であって、
ファイルコンテンツ、該ファイルコンテンツに対応するコンテンツ識別子、および自端末に対応する端末識別子が格納された記憶部と、
前記ファイルコンテンツの評価点が入力されると、該評価点を含む評価情報を前記記憶部に格納し、前記ファイルコンテンツを保持しているか否かを問い合わせる旨の検索信号を外部から受信すると、前記評価情報、前記コンテンツ識別子および前記端末識別子を含むコンテンツ保持情報を外部に送信し、また、自端末に保持していないファイルコンテンツの要求指示が入力されると、該ファイルコンテンツの前記検索信号を外部に送信し、該ファイルコンテンツの前記コンテンツ保持情報を外部から受信すると、該コンテンツ保持情報に含まれる評価情報にしたがって該ファイルコンテンツを取得するか否かを判定する制御部と、を有し、
前記記憶部に、前記ファイルコンテンツの評価に必要な評価情報の数である評価サンプル基準数、および該ファイルコンテンツを要求するか否かを判定するための評価基準点の情報が予め格納され、
前記制御部は、
外部より受信した前記コンテンツ保持情報の受信数が前記評価サンプル基準数以上であると、受信したコンテンツ保持情報のそれぞれに含まれる評価情報の評価点を加算し、算出結果が前記評価基準点よりも小さい場合、受信したコンテンツ保持情報の送信元に、取得判定の対象となるファイルコンテンツの削除を要求する旨の信号を送信する構成である。
【０００７】
本発明では、情報端末がファイルコンテンツを取得する前にそのファイルコンテンツの評価を行うことで、評価の低いファイルコンテンツを取得しないようにする。そのため、評価の低いファイルコンテンツがネットワーク内で流通し続けることを防げる。
【０００８】
一方、上記目的を達成するための本発明のコンテンツ評価方法は、ネットワークに接続される情報端末によるコンテンツ評価方法であって、
ファイルコンテンツ、該ファイルコンテンツに対応するコンテンツ識別子、自端末に対応する端末識別子、該ファイルコンテンツの評価に必要な評価情報の数である評価サンプル基準数、および該ファイルコンテンツを要求するか否かを判定するための評価基準点の情報を記憶部に格納し、
前記ファイルコンテンツの評価点が入力されると、該評価点を含む評価情報を前記記憶部に格納し、
前記ファイルコンテンツを保持しているか否かを問い合わせる旨の検索信号を外部から受信すると、前記評価情報、前記コンテンツ識別子および前記端末識別子を含むコンテンツ保持情報を外部に送信し、
自端末に保持していないファイルコンテンツの要求指示が入力されると、該ファイルコンテンツの前記検索信号を外部に送信し、
自端末に保持していないファイルコンテンツの前記コンテンツ保持情報を外部から受信すると、該コンテンツ保持情報に含まれる評価情報にしたがって該ファイルコンテンツを取得するか否かを判定し、
外部より受信した前記コンテンツ保持情報の受信数が前記評価サンプル基準数以上であると、受信したコンテンツ保持情報のそれぞれに含まれる評価情報の評価点を加算し、算出結果が前記評価基準点よりも小さい場合、受信したコンテンツ保持情報の送信元に、取得判定の対象となるファイルコンテンツの削除を要求する旨の信号を送信するものである。
【０００９】
また、上記目的を達成するための本発明のプログラムは、ネットワークに接続されるコンピュータに実行させるためのプログラムであって、
ファイルコンテンツ、該ファイルコンテンツに対応するコンテンツ識別子、自端末に対応する端末識別子、該ファイルコンテンツの評価に必要な評価情報の数である評価サンプル基準数、および該ファイルコンテンツを要求するか否かを判定するための評価基準点の情報を記憶部に格納するステップと、
前記ファイルコンテンツの評価点が入力されると、該評価点を含む評価情報を前記記憶部に格納するステップと、
前記ファイルコンテンツを保持しているか否かを問い合わせる旨の検索信号を外部から受信すると、前記評価情報、前記コンテンツ識別子および前記端末識別子を含むコンテンツ保持情報を外部に送信するステップと、
自端末に保持していないファイルコンテンツの要求指示が入力されると、該ファイルコンテンツの前記検索信号を外部に送信するステップと、
自端末に保持していないファイルコンテンツの前記コンテンツ保持情報を外部から受信すると、該コンテンツ保持情報に含まれる評価情報にしたがって該ファイルコンテンツを取得するか否かを判定するステップと、
外部より受信した前記コンテンツ保持情報の受信数が前記評価サンプル基準数以上であると、受信したコンテンツ保持情報のそれぞれに含まれる評価情報の評価点を加算し、算出結果が前記評価基準点よりも小さい場合、受信したコンテンツ保持情報の送信元に、取得判定の対象となるファイルコンテンツの削除を要求する旨の信号を送信するステップと、
を有する処理を前記コンピュータに実行させるものである。
【発明の効果】
【００１０】
本発明によれば、ネットワーク内の他の情報端末に格納されたファイルコンテンツについて、取得すべきか否かの判定材料となる評価情報を事前に他の情報端末から取得し、ファイルコンテンツの良否を判定し、評価の低いファイルコンテンツを取得しない。そのため、利用者にデメリットがある、社会秩序的に問題があるなどの評価の低いコンテンツの利用頻度が下がり、評価の低いファイルコンテンツがネットワーク内で流通し続けることを防ぎ、ネットワークインフラの負荷が軽減する。
【発明を実施するための最良の形態】
【００１１】
本発明の情報端末は、ネットワーク内の他の情報端末からファイルコンテンツを取得する前に、他の情報端末からファイルコンテンツに関する評価情報を入手し、取得すべきか否かを判定することを特徴とする。
【実施例１】
【００１２】
はじめに、本実施例の情報端末が接続されるネットワークの全体の構成を説明する。図１は本実施例の情報端末がネットワークに接続された状態を示す図である。図１に示すように、複数の情報端末１０１、２０１〜２０２、３０１〜３０３、４０１〜４０４、５０１〜５０５がネットワークで接続されている。本実施例では、情報端末１０１を最上層とし、情報端末５０１〜５０５を最下層とする階層構造にネットワークが接続されている。これらの情報端末は本発明に関する同一の機能を有しており、以下に、その構成を詳細に説明する。
【００１３】
図２は本実施例の情報端末の一構成例を示すブロック図である。図２に示すように、情報端末は、他の情報端末とデータを送受信するための通信部１１と、ファイルコンテンツが格納される記憶部１２と、表示部１３と、各構成を制御する制御部１４と、ユーザが指示を入力するための操作部１５とを有する。
【００１４】
制御部１４は、プログラムにしたがって所定の処理を実行するＣＰＵ（Central Processing Unit）と、プログラムを格納するためのメモリとを有する。記憶部１２に、ファイルコンテンツの取り扱いに関するＰ２Ｐファイル共有アプリケーションソフト（以下、Ｐ２Ｐファイル共有ソフトと称する）がインストールされている。制御部１４は、Ｐ２Ｐファイル共有ソフトを実行する際、Ｐ２Ｐファイル共有ソフトを記憶部１２から読み出す。以下に、Ｐ２Ｐファイル共有ソフトを実行させたときの機能を説明する。
１）自身が保持するファイルコンテンツに対応する識別子を生成して記憶部１２に格納する。この識別子をコンテンツ識別子と称する。コンテンツ識別子はファイルコンテンツ毎に異なる。
２）ネットワーク上の自身の情報端末を特定するための識別子を生成して記憶部１２に格納する。この識別子を端末識別子と称する。端末識別子は情報端末毎に異なる。端末識別子は予め付与されたものであってもよい。
３）コンテンツ識別子と端末識別子を組にした識別子を生成する。この識別子をコンテンツ評価識別子と称する。
４）記憶部１２に格納したファイルコンテンツに対する評価点が入力されると、評価点を含む評価情報を記憶部１２に保存する。評価点は、本実施例では、良い＝＋１、問題ない＝０、悪い＝−１、問題あり＝−２とする。
５）ファイルコンテンツに対応する評価情報をコンテンツ評価識別子と結びつける。そして、ファイルコンテンツに対応するコンテンツ評価識別子および評価情報を含む情報をコンテンツ保持情報と称する。
【００１５】
６）外部からファイルコンテンツを保持しているか否かを問い合わせる旨の信号である検索信号を受信し、対象となるファイルコンテンツを保持していると、コンテンツ保持情報を隣接する情報端末に送信する。コンテンツ保持情報は、自身がそのファイルコンテンツを保持していることを、問い合わせ元の情報端末に通知する役目を果たす。検索信号には、検索対象となるファイルコンテンツのコンテンツ識別子と、検索信号の送信元を示す端末識別子が含まれている。
７）目的のファイルコンテンツを要求する旨の指示が入力されると、コンテンツ評価のための評価情報を入手するために、ネットワークに接続された複数の情報端末に対して、取得しようとするコンテンツ識別子を含むコンテンツ評価識別子で検索し、他の情報端末から評価情報を取得する。
８）評価のために受信した評価情報の数が評価サンプル基準数より少ない場合、対象となるコンテンツのコンテンツ識別子および自端末の端末識別子の情報を含むコンテンツ要求信号を外部に送信する。評価情報の数が評価サンプル基準数以上である場合、評価情報に含まれる評価点を用いてそのファイルコンテンツの評価を行う。そして、評価結果が評価基準点以上であるとき、ファイルコンテンツ要求信号を外部に送信し、評価結果が評価基準点より小さいとき、ファイルコンテンツの要求を取りやめる。
９）外部に公開するファイルコンテンツは、記憶部１２内のうち、ファイル共有以外の用途では用いられない専用の記憶領域に保存する。または、別の記憶装置（不図示）を設けている場合には、その記憶装置に保存するようにしてもよい。
１０）ネットワークの他の情報端末に自身が所有するファイルコンテンツの情報を公開する。公開の方法は、ネットワークを利用する情報端末が取得可能なウェブページに掲載するなど、その方法は問わない。
１１）ファイルコンテンツの検索目的によるコンテンツ保持情報を受信すると、コンテンツ保持情報を複製して記憶部１２に格納するとともに、隣接する情報端末にコンテンツ保持情報を送信する。目的のファイルコンテンツをネットワーク内で検索し、そのファイルコンテンツを取得するための具体的な機能は後述する。
【００１６】
なお、評価サンプル基準数はファイルコンテンツの評価に必要な評価情報の数であり、評価基準点はファイルコンテンツを要求するか否かを判定するための基準である。評価サンプル基準数および評価基準点は予め記憶部１２に格納されている。また、情報端末間で送受信される信号および情報には、特に断らない限り、送信元および送信先の端末情報がヘッダに記録される。
【００１７】
次に、情報端末が目的のファイルコンテンツをネットワーク内で検索して、そのファイルコンテンツを取得するまでの動作を説明する。
【００１８】
図３から図７はファイルコンテンツの検索から取得までの流れを説明するための図である。
【００１９】
図３に示すように、情報端末５０２のユーザの取得目的のファイルコンテンツをネットワーク内の情報端末５０５が保持しているものとする。情報端末５０５がコンテンツ保持情報を隣接する情報端末４０４に出力すると、情報端末４０４は受信したコンテンツ保持情報を複製して記憶部１２に格納し、コンテンツ保持情報を情報端末３０３に転送する。このようにして、隣接する情報端末にコンテンツ保持情報が順に転送され、最上層の情報端末１０１へ伝播していく。図４で黒く塗りつぶされた情報端末５０５、４０４、３０３、２０２、１０１がコンテンツ保持情報を保持する。これにより、一部ではあるが、ネットワークの複数の情報端末に、情報端末５０５のファイルコンテンツ情報が公開されたことになる。
【００２０】
その後、情報端末５０２が、目的のファイルコンテンツがネットワークの他の情報端末に保持されているか否かを調べるために、コンテンツ評価識別子を含む検索信号を外部に送信すると、検索信号も隣接する情報端末を通じて上層の方向へ伝播する。図５を参照して説明すると、２重枠で示す情報端末４０１、４０２、３０１、３０２が検索信号の伝わったポイントになる。検索信号は、この後、情報端末２０１、２０２に転送される。
【００２１】
図６に示すように、２重枠の伝播の経路と黒塗りの伝播の経路とが最初に交わるポイントである情報端末２０２は、目的のファイルコンテンツについてのコンテンツ保持情報を情報端末５０２に送る。情報端末５０２がコンテンツ保持情報を受信すると、後述する評価を行う。ここでは、その評価の説明を省略し、評価結果によりそのファイルコンテンツを取得する判定をした場合とする。情報端末５０２は、情報端末２０２に対してコンテンツ要求信号を送信する。このとき、コンテンツ要求信号の転送は隣接する情報端末を通じて行われる。
【００２２】
情報端末２０２は、コンテンツ要求信号を受信すると、記憶部１２に格納されたコンテンツ保持情報読み出して、コンテンツ保持情報に含まれる端末識別子から情報端末５０５を特定し、情報端末５０５に対してファイルコンテンツのアップロードを要求する。続いて、図７に示すように、ファイルコンテンツは、情報端末５０５→情報端末４０４→情報端末３０３→情報端末２０２の経路でアップロードされた後、情報端末２０２→情報端末３０２→情報端末４０２→情報端末５０２の経路でダウンロードされる。
【００２３】
なお、ファイルコンテンツの検索および取得の方法について、ここで説明した方法は一例であって、他の方法であってもよい。
【００２４】
次に、ファイルコンテンツを取得した後の情報端末の動作手順を説明する。
【００２５】
情報端末５０２のユーザは、ネットワークからファイルコンテンツを取得すると、ファイルコンテンツを情報端末５０２に実行させ、コンテンツを利用する。その後、情報端末５０２を操作して、そのファイルコンテンツに対する評価点を入力する。情報端末５０２は、評価点を含む評価情報をコンテンツ評価識別子とともに記憶部１２に格納する。
【００２６】
この評価情報は、コンテンツ保持情報に含まれる形で、ファイルコンテンツと同様に、ネットワーク内の情報端末間を伝播することが可能である。その際、コンテンツ保持情報に含まれるコンテンツ評価識別子、上述したのと同様の用途で利用される。コンテンツ評価識別子には、端末識別子とコンテンツ識別子が含まれる。コンテンツ識別子からは評価情報の対象となるファイルコンテンツを特定することが可能となり、端末識別子からはファイルコンテンツを保持する情報端末を特定することが可能となる。このようにして、ネットワーク内に１つのファイルコンテンツが出回り、利用されるほど、そのファイルコンテンツに対する評価情報も数多く生成される。
【００２７】
次に、情報端末が実行するコンテンツ評価方法を説明する。
【００２８】
図８は情報端末の動作手順を説明するための図である。図８では、情報端末５０２のユーザが情報端末５０５の保持するファイルコンテンツを取得しようとする場合を示す。また、情報端末２０２、３０１、４０４に、そのファイルコンテンツに対する評価情報が格納されている。情報端末４０４には評価情報Ａが格納され、情報端末３０１には評価情報Ｂが格納され、情報端末２０２には評価情報Ｃが格納されている。
【００２９】
図９は情報端末の動作手順を示すフローチャートである。ここでは、評価サンプル基準数を３つとし、評価基準点を０点とする。
【００３０】
情報端末５０２は、ファイルコンテンツ要求する旨の指示がユーザにより入力されると（ステップ７０１）、情報端末５０２は、検索信号を隣接する情報端末４０１、４０２に送信する。検索信号が情報端末間を伝播し、情報端末２０２、３０１、４０４は、検索信号を受信すると、検索信号に含まれるコンテンツ識別子で特定されるファイルコンテンツを保持していることを認識し、評価情報を含むコンテンツ保持情報を情報端末５０２宛に送信する。情報端末５０２は、情報端末２０２、３０１、４０４から受信するコンテンツ保持情報から評価情報Ａ、Ｂ、Ｃを取得する（ステップ７０２）。
【００３１】
続いて、情報端末５０２は、取得した評価情報の数が評価サンプル基準数以上であるか否かを判定する（ステップ７０３）。情報端末５０２は、評価情報を３つ取得しているため、評価情報に含まれる評価点を加算する。そして、算出結果が評価基準点以上であるか否かを判定する（ステップ７０４）。算出結果が０点以上であれば、このファイルコンテンツを有効なものとして取り扱い、ファイルコンテンツ要求信号を外部に送信する（ステップ７０５）。一方、算出結果が負の数であれば、このファイルコンテンツには何か問題があると判定し、ファイルコンテンツの要求を行わない（ステップ７０６）。
【００３２】
また、ステップ７０３で、取得した評価情報が評価サンプル基準数に満たなかった場合、少ない評価結果ではファイルコンテンツの良否を判定できないので、ファイルコンテンツを取得するために、ファイルコンテンツの要求を行う（ステップ７０５）。
【００３３】
本発明の情報端末は、ネットワーク内の他の情報端末に格納されたファイルコンテンツについて、取得すべきか否かの判定材料となる評価情報を事前に他の情報端末から取得し、ファイルコンテンツの良否を判定し、評価の低いファイルコンテンツを取得しないようにする。そのため、利用者にデメリットがある、社会秩序的に問題があるなどの評価の低いコンテンツの利用頻度が下がり、評価の低いファイルコンテンツがネットワーク内で流通し続けることを防ぎ、ネットワークインフラの負荷が軽減する。
【実施例２】
【００３４】
本実施例は、評価基準点未満のファイルコンテンツに対する取り扱いが実施例１と異なり、対象となるファイルコンテンツの削除を要求するものである。以下では、実施例１との動作の差異点を説明し、実施例１と同様な構成および動作の説明を省略する。
【００３５】
図１０は本実施例の情報端末の動作手順を示すフローチャートである。図１０に示すように、情報端末５０２は、ステップ７０４の判定の結果、算出結果が負の数である場合、本実施例では、対象となるファイルコンテンツを保持する情報端末５０５に対して、そのファイルコンテンツの削除を要求するために、ファイルコンテンツを削除する旨の情報を含むコンテンツ削除要求信号を送信する（ステップ７０６）。コンテンツ削除要求信号には、対象となるファイルコンテンツのコンテンツ識別子、送信元の端末識別子、
図１１は情報端末から送出される信号の流れを示す図である。情報端末５０２は、対象のファイルコンテンツのコンテンツ保持情報を情報端末２０２から転送されて受信したため、情報端末５０２から送出されたコンテンツ削除要求信号は情報端末２０２に送られる。そして、情報端末２０２は、情報端末５０２から受信するコンテンツ削除要求信号を情報端末５０５宛に転送する。これにより、コンテンツ削除要求信号は、情報端末５０２→情報端末４０２→情報端末３０２→情報端末２０２→情報端末３０３→情報端末４０４→情報端末５０５の順に伝播する。情報端末５０５は、コンテンツ削除要求信号を受信すると、ファイル共有の記憶領域に格納された、対象のファイルコンテンツを削除する。
【００３６】
本実施例では、評価の低いファイルコンテンツが情報端末内から確実に削除される。そのため、実施例１の効果の他、悪質なファイルコンテンツが再びネットワークに流通することを防げる。
【００３７】
なお、実施例１および実施例２において、ネットワークに接続される情報端末の数は１５に限らず、複数であればよい。また、選択肢とその評価点を、良い＝＋１、問題ない＝０、悪い＝−１、問題あり＝−２としたが、選択肢の内容、選択肢の数、および各評価点は、本実施例に限られない。また、評価サンプル基準数および評価基準点も、本実施例の数値に限られない。評価サンプル基準数を１つとして、判定するようにしてもよい。
【００３８】
また、ファイルコンテンツやコンテンツ保持情報が伝播路である各情報端末にキャッシュとして保存されるようにしてもよい。例えば、実施例１のようにファイルが情報端末５０５→情報端末４０４→情報端末３０３→情報端末２０２→情報端末３０２→情報端末４０２→情報端末５０２と伝播する際に、ファイルコンテンツが情報端末４０４、３０３、２０２、３０２、４０２、５０２で複製され、それぞれの情報端末に格納される。
【００３９】
従来、Ｐ２Ｐ型のネットワークに設ける、コンテンツ評価の仕組みとして、コンテンツ情報をある特定のサーバ装置などで管理し、そのサーバ装置でコンテンツの評価情報を一元管理する方式が考えられる。しかし、この場合では、コンテンツの評価が、１つのサーバ装置という情報処理装置の振る舞いに影響されてしまい、Ｐ２Ｐの特長である特定のサーバ装置に頼らないネットワークといった意義が薄れてしまう。
【００４０】
本発明では、コンテンツの評価情報を１つの情報処理装置で集中管理することなく、各情報端末にそれぞれの利用者による評価情報が格納される。そして、評価情報を分散して保持したまま、これらの評価情報がコンテンツの全体評価に反映される。また、評価情報がＰ２Ｐ通信により伝播していくため、評価者の匿名性も保持され、かつ評価情報の取得者の匿名性も維持される。また、評価判定によりファイルコンテンツの削除を要求する場合には、ファイルコンテンツ削除の要求信号をネットワーク内を伝播させることで、評価の低いファイルコンテンツを削除することができる。
【図面の簡単な説明】
【００４１】
【図１】実施例１の情報端末がネットワークに接続された状態を示す図である。
【図２】実施例１の情報端末の一構成例を示すブロック図である。
【図３】ファイルコンテンツの検索から取得までの流れを説明するための図である。
【図４】ファイルコンテンツの検索から取得までの流れを説明するための図である。
【図５】ファイルコンテンツの検索から取得までの流れを説明するための図である。
【図６】ファイルコンテンツの検索から取得までの流れを説明するための図である。
【図７】ファイルコンテンツの検索から取得までの流れを説明するための図である。
【図８】実施例１の情報端末の動作手順を説明するための図である。
【図９】実施例１の情報端末の動作手順を示すフローチャートである。
【図１０】実施例２の情報端末の動作手順を示すフローチャートである。
【図１１】実施例２の情報端末から送出される信号の流れを示す図である。
【符号の説明】
【００４２】
１２    記憶部
１４    制御部
１０１、２０１、２０２、３０１〜３０３、４０１〜４０４、５０１〜５０５    情報端末
【図１】
0004535285.tif 000002
【図２】
0004535285.tif 000003
【図３】
0004535285.tif 000004
【図４】
0004535285.tif 000005
【図５】
0004535285.tif 000006
【図６】
0004535285.tif 000007
【図７】
0004535285.tif 000008
【図８】
0004535285.tif 000009
【図９】
0004535285.tif 000010
【図１０】
0004535285.tif 000011
【図１１】
0004535285.tif 000012